(57)【要約】【課題】使用したファンデーションパフの両面を、軽い力で、ファンデーションパフを傷めずに洗浄し、便利に乾かすために、ファンデーションパフを洗うネット袋を提供する。【解決手段】下部（６）は袋状になっており上部（５）は開口部（７）になっている２枚重ねの泡立ちの良い素材のネットの片面にベルト（８）を設け、開口部（７）の一端に吊下紐（１１）を設ける。ネットの開口部（７）より使用したファンデーションパフ（１２）を入れ、ファンデーションパフ（１２）の両面を泡（１５）の洗浄力で傷めずに洗浄し、ネット袋に入れた状態で干せるようにする。【選択図】  図１
2004330170.tif 000002
【特許請求の範囲】
【請求項１】
２枚重ねのネット袋の片面にベルト（８）を設け、開口部（７）の一端に吊下紐（１１）を設けたファンデーションパフ（１２）を洗うネット袋。
【発明の詳細な説明】
【０００１】
【発明の属する技術分野】
本発明は、使用したファンデーションパフを洗浄するためのネット袋である。
【０００２】
【従来の技術】
従来の泡立てネットは「伸縮性を有する矩形で扁平の袋状の外側ネットと、外側ネットの内側に収められた伸縮性を有する矩形で扁平の袋状の内側ネットとにより二重のネットで構成された扁平状の固形石鹸用泡立てネットにおいて、一方の端部は外側ネットと内側ネットとが折り返されて連続しているとともに固形石鹸出入口が形成され、外側ネットと内側ネットの他方の端部は直線状に溶着されて塞がれ、さらに外側ネットと内側ネットの片側が一端から他端にわたって直線状に溶着されて塞がれていることを特徴とする二重のネットからなる袋状の矩形で扁平な固形石鹸用泡立てネット。」であった。（特許文献１参照。）
従来は、使用したファンデーションパフを洗浄する時には、ファンデーションパフに直に洗顔料や石鹸をつけ、こすり洗いをしていた。乾かす時には、直に風通しの良い場所に置いたり洗濯バサミで挟んで干したりしていた。
【０００３】
【特許文献１】
特開２００２年−０９５６０５号公報（第２頁、図１）
【０００４】
【発明が解決しようとする課題】
従来の固形石鹸用泡立てネットを使ってファンデーションパフを洗浄すると、ネットに入れたファンデーションパフをもみ洗いするので、握力を使う為に手が疲れ、その上ファンデーションパフを傷めてしまった。また、洗浄したファンデーションパフを乾かす時には、ファンデーションパフを、風通しの良い場所に置いたり洗濯バサミなどに挟んで干したりして乾燥させるので、不便であった。
本発明は、これらの課題を解決するためになされたものである。
【０００５】
【課題を解決するための手段】
洗顔料（１４）などの泡（１５）の洗浄力でファンデーションパフ（１２）の汚れを楽に落とせるネット袋を提供する。ネット袋の片面にはベルト（８）が設けられ、開口部（７）には吊下紐（１１）が設けられている。
本発明は以上の構成からなるファンデーションパフを洗うネットである。
【０００６】
【発明の実施の形態】
以下、本発明の実施の形態について説明する。
伸縮性を有する網目が細かく泡立ちの良い素材の長方形型のネットを図２のようにＭ字型に折る。図３は図２の側面図である。折り合わせたネットの下部（６）は４枚のネットをまつり縫いまたは直線縫いで縫い合わせる。ネットの上部（５）は開口部（７）とする。
【０００７】
外ネット（１）の中央部分には弾力性を有するベルト（８）を設ける。最初にベルト（８）を外ネット（１）と外ネット（２）の間に挟み込み位置を定め、その後、ベルト（８）の一方の端部をネットの脇部（９）に縫着し、ベルト（８）の他方の端部をネットの脇部（１０）に縫着させる。ベルト（８）を外ネット（１）と外ネット（２）の間に挟む時には、図２のように、外ネット（１）と外ネット（２）の中央部にベルト（８）が位置するように挟み込む。ベルト（８）の位置を定着させた後、ベルト（８）の一方の端部と外ネット（１）（２）が重なった部分に内ネット（３）（４）の中央部を重ね合わせ、重ね合わせた部分の脇部（９）を直線縫いで縫い合わせる。他方の脇部（１０）側の中央部も同様に、挟み込んだベルト（８）の他方の端部と重ね合わせ縫い合わせる。ベルト（８）の両端部をネットの両脇部（９）（１０）の中央部に縫いつけることで、ベルト（８）を外ネット（１）の中央部分に位置した状態で固定させることができる。
【０００８】
次に、外ネット（１）（２）と内ネット（３）（４）の４枚のネットを重ね合わせ、ネットの脇部（９）をまつり縫いまたは直線縫いで縫い合わせる。その際、脇部（９）の中央部は、縫着したベルト（８）の端部も合わせて縫い合わせる。従って、この部分はベルト１枚とネット４枚を重ねて縫い合わせることになる。脇部（１０）も脇部（９）と同様に縫い合わせる。下部（６）と両脇部（９）（１０）が縫い合わさり、図４のようなネットの一方の端部が袋状になったネット袋が形成される。開口部（７）より外ネット（１）（２）が外側に内ネット（３）（４）が内側になるようにネットを返す。その結果、縫い目を内側に隠した状態の中央部分にベルト（８）を設けたネット袋を形成することができる。
【０００９】
開口部（７）の一端には吊下紐（１１）を設ける。紐は水に強く伸縮性のない素材のものが良い。適度な長さの紐を２つに折り、図５のように、紐の一方の端を開口部（７）の外ネット（１）の一端に縫い付け、他方の紐の端を開口部（７）の外ネット（４）の一端に縫い付ける。
【００１０】
本発明は以上のような構造で、使用したファンデーションパフ（１２）を洗浄する時には、ネットの開口部（７）よりファンデーションパフ（１２）を入れて使用する。これを、ふたつ用意する。適量の洗顔料（１４）や石鹸をベルト（８）がない側の外ネット（４）につけ、一方のネット袋の外ネット（１）とベルト（８）の間に親指だけ残し右手を差し入れる。その際、右の手のひらが外ネット（１）に面するように手を差し入れる。また、他方のネット袋の外ネット（１）とベルト（８）の間には親指だけを残し左手を差し入れる。その際、左の手のひらがネット（１）に面するように手を差し入れる。ふたつのネット袋の外ネット（４）の互いの面が接するように手を合わせ、こすり合わせながら互いのネット（４）を泡立たせる。ネット（４）を泡立たせることで、泡（１５）の洗浄力でネット（４）に面するファンデーションパフ（１２）の一方の面を洗浄することができる。ファンデーションパフ（１２）の他方の面を洗浄する時には、ベルト（４）に下部（６）を通し外ネット（１）に面していたベルト（８）を外ネット（４）の面に返す。次に、ベルトがついていない側の外ネット（１）に洗顔料（１４）や石鹸をつける。ネット（４）を泡立てた時と同じ要領で、互いのネット袋のベルト（８）に右手と左手をそれぞれ差し入れ、互いの外ネット（１）をこすりあわせ泡立たせることで、外ネット（１）に面するファンデーションパフ（１２）の他方の面を洗浄することができる。洗浄した後は、ファンデーションパフ（１２）をネット袋に入れた状態で、吊下紐（１１）をフック（１３）に掛けて干し乾燥させることができる。
【００１１】
【発明の効果】
使用したファンデーションパフをネットに入れて軽くこすり合わせることによって泡の洗浄力で汚れを落とすので、軽い力でファンデーションパフを洗浄でき、ファンデーションパフも傷みにくい。ベルトはネットの両面に返せるようになっているので、ファンデーションパフの両面を楽に洗浄することができる。またファンデーションパフをネットに入れたまま干せるので便利である。
【図面の簡単な説明】
【図１】本発明の斜視図
【図２】本発明の作成時の斜視図
【図３】図２の側面図
【図４】図２の正面図
【図５】本発明の斜視図
【図６】本発明の使用状態を示す説明図
【符号の説明】
１  外ネット
２  外ネット
３  内ネット
４  内ネット
５  上部
６  下部
７  開口部
８  ベルト
９  脇部
１０  脇部
１１  吊下紐
１２  ファンデーションパフ
１３  フック
１４  洗顔料
１５  泡
【図１】
2004330170.tif 000003
【図２】
2004330170.tif 000004
【図３】
2004330170.tif 000005
【図４】
2004330170.tif 000006
【図５】
2004330170.tif 000007
【図６】
2004330170.tif 000008